(57)【特許請求の範囲】
【請求項１】
一端部が壁の一側面において締結される一方、他端部がその壁の貫通孔に対し挿通配置されて上記壁の他側面の側に延ばされたステーパイプによって、電気機器が上記壁の他側面において設置されるようにした電気機器設置構造であって、
上記ステーパイプ内と連通する内孔が上記壁の他側面に開口するよう上記ステーパイプの他端部と結合される板状の取付部材と、この取付部材に上記電気機器を連結して支持する連結片とを備え、
上記取付部材は、上記一端部からの締結力を受けることにより、その後面が上記壁の他側面に対し固定設置されるように構成される一方、前面側に対し上記電気機器を着脱可能に連結して支持可能な電気機器取付部を備え、
上記電気機器取付部は、上記取付部材の上端縁の左右両側位置から前面側に突出した後に上向きに突出するように略Ｌの字状に形成された係止爪と、上記取付部材の下端縁の左右両側位置から前面側に屈曲された連結部とから構成され、上記各連結部はスリット状の開口部により構成され、
上記電気機器は、本体ケースと、この本体ケースの後面側から内嵌される裏蓋とを備え、上記本体ケースにはその下端部の左右両側位置にスリット状開口部により構成された下部連結部が設けられるとともに、上記裏蓋にはその後面に上記電気機器取付部との結合のための上部係止部と下部連結部とが形成され、上記上部係止部は上部の左右両側位置でその後面に開口して上記各係止爪を受け入れる受入開口部と、その上側位置で上記係止爪と係合する係止壁部とを備えたものであり、上記下部連結部は下端部の左右両側位置においてそれぞれスリット状に開口する開口部により構成され、かつ、上記裏蓋が本体ケースに対し内嵌されることで、両者の下部連結部のスリット状開口部が上下方向に合致すると共に、両者の下部連結部間に上記取付部材の連結部を差し込み可能な隙間が形成されるように構成され、
上記取付部材の係止爪が上記裏蓋の受入開口部内に入り込むように裏蓋を被せた後、その裏蓋を下方にずらすことで、上記係止爪の上向き突出部分が上記係止壁部に接合して係止されて上記電気機器の上側部位が上記取付部材に係止され、上記隙間に取付部材の連結部が差し込まれることにより下から上に上下方向に合致する上記本体ケースの下部連結部、上記取付部材の連結部及び上記裏蓋の下部連結部の各スリット状開口部に対し、下から上記連結片が圧入気味に挿入されて係合されるように構成されている、
ことを特徴とする電気機器設置構造。
【請求項２】
請求項１に記載の電気機器設置構造であって、
上記取付部材は、その後面から突出して上記ステーパイプの他端部と取付可能なステーパイプ取付部を一体に備えており、このステーパイプ取付部により上記ステーパイプの他端部と結合されるように構成されている、電気機器設置構造。
【請求項３】
請求項１に記載の電気機器設置構造であって、
上記取付部材は、その後面から突出するよう予め一体に固定されたステーパイプを備えている、電気機器設置構造。
【請求項４】
請求項２又は請求項３に記載の電気機器設置構造であって、
上記取付部は板状の本体部を備え、この本体部には、その後面側に上記壁の他側面との間に挟み込むためのパッキン又はその前面側に上記電気機器との間に挟み込むためのパッキンを収容するための扁平凹部が段差を介して形成されている、電気機器設置構造。
【請求項５】
請求項１〜請求項４のいずれかに記載の電気機器設置構造であって、
上記壁は浴室を区画形成する浴室壁であり、上記電気機器は浴室の浴室面に設置される浴室用リモコンである、電気機器設置構造。
【発明の詳細な説明】
【技術分野】
【０００１】
本発明は、リモートコントローラ（リモコン）等の電気機器を壁面に設置するための電気機器設置構造に関し、特に取付・固定に伴う外力や残留応力の影響から絶縁された状態で設置し得るようにして電気機器の耐久性向上や薄型化を実現させ得る技術に係る。
【背景技術】
【０００２】
従来、リモコンを浴室の壁面に設置するための設置構造として、壁面に貫通配置させたステーパイプによってリモコンを壁面に設置すると共にリモコンへの接続コードをステーパイプ内を通して配線させるものが提案されている（例えば特許文献１参照）。このものでは、リモコンの背面からステーパイプ取付部を浴室壁面の貫通孔内に突出させ、貫通孔内に挿通させたステーパイプの基端部をステーパイプ取付部に螺合させる一方、そのステーパイプの先端部を浴室外の壁面に対しナットにより締め付けることで、（壁を挟み込んで浴室外から締め付け力を付与した状態で）リモコンを固定するようにしている。
【０００３】
又、ステーパイプ取付部をリモコンの背面からリモコンの内側に突出させ、つまりリモコン背面に凹状のステーパイプ取付部を形成し、このステーパイプ取付部に対し上記と同様に螺合させたステーパイプの先端部を浴室外の壁面に対しナットにより締め付けるようにした設置構造も提案されている（例えば特許文献２参照）。
【０００４】
さらに、ステーパイプ取付部の内周面と、ステーパイプの基端部の外周面との螺合関係を逆にして、貫通孔の内径をより小さくし得るようにすることも提案されている（例えば特許文献３参照）。
【先行技術文献】
【特許文献】
【０００５】
【特許文献１】特開平８−９８２７９号公報
【特許文献２】特開平１０−４２３８２号公報
【特許文献３】特開２００２−２９５８９６号公報
【発明の概要】
【発明が解決しようとする課題】
【０００６】
ところが、いずれの提案に係る設置構造においても、浴室外でのナットの締め付けにより、その締め付け力（引き付け力）がステーパイプを介してステーパイプ取付部に作用し、このステーパイプ取付部が形成されているリモコンの背面壁に作用することになる。
【０００７】
例えば図６に示すように、ナット１０１を締め付けていくと、ステーパイプ１０２が浴室外のナット１０１側（図面の右側）に引き付けられ、この引き付け力がステーパイプ取付部１０３に作用する結果、リモコン１０４の背面壁（裏蓋）１０５が浴室壁面１０６に密着するように引き付けられると共に、ステーパイプ取付部１０３が形成されたリモコン裏蓋１０５のほぼ中央部位に対し浴室外のナット１０１側へ向けた引張力が作用することになる。このように、従来の設置構造はリモコン１０４のステーパイプ取付部１０３に対しステーパイプ１０２を介して引き付け力を作用させることにより、リモコン１０４を浴室壁面１０６に対し密着するように固定するものであるため、特にその引き付け力が中央部位に作用するリモコン裏蓋１０５を上記の引き付け力に抗して平板状態を維持し得るように剛性を高める必要がある。このため、従来の設置構造ではその電気機器であるリモコン裏蓋１０５が分厚くなってリモコン１０４の薄型化を阻害する要因となっている。しかも、上記の引き付け力や、残留応力により、上記の例におけるリモコン裏蓋１０５にゆがみ等の変形が生じると、特にシール性の悪化に伴い内部の回路基板の損傷等を招くことになる。特にシール性の悪化は浴室用リモコン等の高温多湿環境下に設置される電気機器の場合には耐久性の点で不都合をもたらすため、これを確実に回避するためにも、上記の薄型化は困難となる。なお、図６ではステーパイプ取付部１０３が突出するタイプのものを図示しているが、凹状に形成された場合も同様の不都合を抱えている。
【０００８】
本発明は、このような事情に鑑みてなされたものであり、その目的とするところは、ステーパイプを用いながらも、固定の際の引き付け力等の外力や後の残留応力の影響と絶縁し得るようにして薄型化や耐久性の向上を図り得る電気機器設置構造を提供することにある。
【課題を解決するための手段】
【０００９】
上記目的を達成するために、本発明では、一端部が壁の一側面において締結される一方、他端部がその壁の貫通孔に対し挿通配置されて上記壁の他側面の側に延ばされたステーパイプによって、電気機器が上記壁の他側面において設置されるようにした電気機器設置構造を対象にして次の特定事項を備えることとした。すなわち、上記ステーパイプ内と連通する内孔が上記壁の他側面に開口するよう上記ステーパイプの他端部と結合される板状の取付部材と、この取付部材に上記電気機器を連結して支持する連結片とを備えることとし、上記取付部材として、上記一端部からの締結力を受けることにより、その後面が上記壁の他側面に対し固定設置されるように構成される一方、前面側に対し上記電気機器を着脱可能に連結して支持可能な電気機器取付部を備えるものとする。上記電気機器取付部として、上記取付部材の上端縁の左右両側位置から前面側に突出した後に上向きに突出するように略Ｌの字状に形成された係止爪と、上記取付部材の下端縁の左右両側位置から前面側に屈曲された連結部とから構成し、上記各連結部をスリット状の開口部により構成する。上記電気機器として、本体ケースと、この本体ケースの後面側から内嵌される裏蓋とを備え、上記本体ケースにはその下端部の左右両側位置にスリット状開口部により構成された下部連結部を設けるとともに、上記裏蓋にはその後面に上記電気機器取付部との結合のための上部係止部と下部連結部とを形成し、上記上部係止部として、上部の左右両側位置でその後面に開口して上記各係止爪を受け入れる受入開口部と、その上側位置で上記係止爪と係合する係止壁部とを備えたものとし、上記下部連結部として、下端部の左右両側位置においてそれぞれスリット状に開口する開口部により構成し、かつ、上記裏蓋が本体ケースに対し内嵌されることで、両者の下部連結部のスリット状開口部が上下方向に合致すると共に、両者の下部連結部間に上記取付部材の連結部を差し込み可能な隙間が形成される構成とする。そして、上記取付部材の係止爪が上記裏蓋の受入開口部内に入り込むように裏蓋を被せた後、その裏蓋を下方にずらすことで、上記係止爪の上向き突出部分が上記係止壁部に接合して係止されて上記電気機器の上側部位が上記取付部材に係止され、上記隙間に取付部材の連結部が差し込まれることにより下から上に上下方向に合致する上記本体ケースの下部連結部、上記取付部材の連結部及び上記裏蓋の下部連結部の各スリット状開口部に対し、下から上記連結片が圧入気味に挿入されて係合される構成とした（請求項１）。
【００１０】
本発明の場合、ステーパイプの一端部が壁の一側面において締結されることにより、取付部材が壁を挟み付けた状態でその壁の他側面に固定設置されることになる。そして、この取付部材に対し電気機器取付部により電気機器が連結されて支持されることになる。これにより、ステーパイプを介して壁を挟み付けることで固定設置するという設置構造を採用したとしても、固定設置に伴いステーパイプを介して作用する外力は取付部材に対してのみ作用し、その外力が電気機器に対し作用することはないため、電気機器を構成する筐体として特に背面壁部分を従来のものよりも薄肉厚化することが可能となる。つまり、電気機器は固定設置の際に作用することになる外力や固定設置後の残留応力と縁切りされているため、その外力に対抗し得るだけの剛性を確保し得る肉厚設定がなされていた従来の場合と比べ、その薄型化を阻害する要因を除去して、薄肉化することが可能となる。これにより、ステーパイプを用いて壁に設置するための電気機器において薄型化が図られることになる。しかも、電気機器が設置固定に伴う外力や残留応力等から縁切りされて、電気機器が内蔵している回路基板等の密着性やシール性に影響しないようにしているため、その電気機器の保護機能を増大させて耐久性の増大をも図り得ることになる。又、電気機器のメンテナンス時又は交換時においても、取付部材から電気機器のみを独立して外すことが可能となり、取付部材は固定設置状態のままにしておくことができるため、メンテナンス作業の容易化や、省力化や省部品化を図り得ることになる。さらに、当初設置の電気機器とは種類の異なる電気機器についても、上記取付部材の電気機器取付部により支持される構成としておけば、種類の異なる電気機器に対しても同じ取付部材を共用の部品として用いることが可能になる。そして、特に、連結・支持において次のような作用が得られる。すなわち、取付部材の係止爪が上記裏蓋の受入開口部内に入り込むように裏蓋を被せた後、その裏蓋を下方にずらすことで、上記係止爪の上向き突出部分が上記係止壁部に接合して係止される結果、裏蓋の前面側への位置ずれが阻止され、本体ケースの下部連結部、上記取付部材の連結部及び上記裏蓋の下部連結部の各スリット状開口部に対し、下から上記連結片が圧入気味に挿入されて係合されることにより、上記本体ケースが裏蓋のみならず取付部材にも共に連結され、取付金具に対し電気機器が前後方向及び上下方向の位置ずれが阻止された状態に連結されて支持されることになる。
【００１１】
上記の発明における取付部材として、その後面から突出して上記ステーパイプの他端部と取付可能なステーパイプ取付部を一体に備え、このステーパイプ取付部により上記ステーパイプの他端部と結合される構成とすることができる（請求項２）。このようにすることにより、設置対象の壁の厚みに応じてステーパイプの長さを選択することが可能となる。又、上記の発明における取付部材として、その後面から突出するよう予め一体に固定されたステーパイプを備える構成とすることができる（請求項３）。このようにすることにより、設置対象の壁が画一的であれば、ステーパイプを一体に固定しておくことで、設置の作業工程を省力化し得ることになる。
【００１２】
又、上記発明において、上記取付部が板状の本体部を備え、この本体部に対し、その後面側に上記壁の他側面との間に挟み込むためのパッキン又はその前面側に上記電気機器との間に挟み込むためのパッキンを収容するための扁平凹部が段差を介して形成されている構成を採用することができる（請求項４）。このようにすることにより、シール性向上のためのパッキンの介装が可能になる上に、段差を介して形成される扁平凹部によって板状の本体部の剛性増大を図り得るようになる。この結果、本体部の板厚をより薄肉化して電気機器を含んだ設置構造全体の薄型化に寄与し得ることになる。
【００１３】
さらに、上記発明における壁として浴室を区画形成する浴室壁とし、上記電気機器として浴室の浴室面に設置される浴室用リモコンとすることができる（請求項５）。このように浴室壁に設置される浴室用リモコンに本発明の電気機器設置構造を適用することにより、浴室用リモコンの筐体の強度を設計するにあたり、季節変化や浴室乾燥機の作動等に伴う高温・低温環境又は多湿・乾燥環境の繰り返しを受けることによる経時的なゆがみ変形等の発生のおそれを考慮する必要がないため、浴室用リモコンの大幅な薄型化を実現させることが可能となる。
【発明の効果】
【００１４】
以上、説明したように、本発明の電気機器設置構造によれば、電気機器の固定設置の際に作用することになる外力や固定設置後の残留応力から電気機器を縁切りさせることができ、その外力に対抗し得るだけの剛性を確保し得る肉厚設定がなされていた従来の場合と比べ、その薄型化を阻害する要因を除去して、薄肉化することができるようになる。これにより、ステーパイプを用いて壁に設置するための電気機器において薄型化を図ることができるようになる。しかも、設置固定に伴う外力や残留応力等が電気機器内の回路基板等の密着性やシール性に直接影響しないようにすることができ、電気機器の保護機能を増大させて耐久性の増大をも図ることができるようになる。又、電気機器のメンテナンス時又は交換時においても、取付部材から電気機器のみを独立して外すことができる一方、取付部材を固定設置状態のままにしておくことができるため、メンテナンス作業の容易化や、省力化や省部品化を図ることができるようになる。さらに、当初設置の電気機器とは種類の異なる電気機器についても、取付部材の電気機器取付部により支持される構成とすることにより、種類の異なる電気機器に対しても同じ取付部材を共用の部品として用いることができるようになる。そして、特に、連結・支持において次のような効果が得られる。すなわち、取付部材の係止爪が上記裏蓋の受入開口部内に入り込むように裏蓋を被せた後、その裏蓋を下方にずらすことで、上記係止爪の上向き突出部分が上記係止壁部に接合して係止される結果、裏蓋の前面側への位置ずれを阻止することができ、本体ケースの下部連結部、上記取付部材の連結部及び上記裏蓋の下部連結部の各スリット状開口部に対し、下から上記連結片が圧入気味に挿入されて係合されることにより、上記本体ケースが裏蓋のみならず取付部材にも共に連結することができ、取付金具に対し電気機器を前後方向及び上下方向の位置ずれが阻止された状態に連結されて支持させることができるようになる。
【００１５】
特に請求項２によれば、取付部材にステーパイプ取付部を一体に備えることで、設置対象の壁の厚みに応じてステーパイプの長さを選択することができ、又、請求項３によれば、取付部材にステーパイプを予め一体に固定しておくことで、設置対象の壁が画一的であれば、設置の作業工程の省力化を図ることができるようになる。
【００１６】
又、請求項４によれば、取付部材に対しパッキンを収容するための扁平凹部を形成することで、シール性向上のためのパッキンを介装することができる上に、扁平凹部によって板状の本体部の剛性増大を図ることができる。この結果、本体部の板厚をより薄肉化して電気機器を含んだ設置構造全体の薄型化に寄与することができる。
【００１７】
さらに、請求項５によれば、浴室壁に設置される浴室用リモコンに本発明の電気機器設置構造を適用することにより、浴室用リモコンの筐体の強度を設計するにあたり、季節変化や浴室乾燥機の作動等に伴う高温・低温環境又は多湿・乾燥環境の繰り返しを受けることによる経時的なゆがみ変形等の発生のおそれを考慮する必要がないため、浴室用リモコンの大幅な薄型化を実現させることができるようになる。
【図面の簡単な説明】
【００１８】
【図１】本発明の電気機器設置構造を浴室用リモコンに適用した第１実施形態の断面説明図である。
【図２】第１実施形態を前面側から見た分解斜視図である。
【図３】第１実施形態を後面側から見た分解斜視図である。
【図４】第２実施形態を示す図３対応図である。
【図５】第１実施形態の取付金具を例にした他の形態を示す斜視図である。
【図６】本発明の課題を示すための従来の電気機器設置構造の例を示す断面説明図である。
【発明を実施するための形態】
【００１９】
以下、本発明の実施形態を図面に基づいて説明する。
【００２０】
図１は、本発明の実施形態に係る電気機器設置構造の断面説明図を示す。この第１実施形態は、電気機器として浴室用リモコン２（以下、単に「リモコン２」と記載する）を対象にし、このリモコン２を、浴室３と外部とを区画する壁である浴室壁４の浴室面４１に設置するものである。同図において、符号５はリモコン２とは独立して形成された金属板状の取付部材としての取付金具であり、この取付金具５が後面側（浴室面４１側；図１の右側）においてステーパイプ６及びナット（図示省略）によって浴室壁４の浴室面４１に固定される一方、この取付金具５に対しその前面側（浴室３の内方側；図１の左側）においてリモコン２が着脱可能に連結されて支持されるようになっている。上記浴室壁４の浴室面が特許請求の範囲における「他側面」を構成し、反対側の浴室外の壁面が「一側面」を構成する。以下、図１に加えて図２及び図３をも参照しつつ詳細に説明する。
【００２１】
リモコン２は、正面壁を構成する本体ケース２１と、背面壁を構成する裏蓋２２と、電子回路を搭載した回路基板２３とを備えたものである。この実施形態のリモコン２の裏蓋２２は、特にその肉厚設定が従来とは異なり、単にリモコン２の密閉ケースとしての役割を果たすだけの構成を有するものとして肉厚設定されて合成樹脂成形により形成されている。すなわち、ステーパイプ６からの引張力に対抗し得る強度を有するように肉厚設定を行うという意図は、本実施形態のリモコン２にはない。
【００２２】
本体ケース２１は、前面上部に液晶等の表示窓２１１（図１又は図２参照）と、前面下部に各種の操作ボタンを備えた操作部２１２（図２参照）とが設けられたもので、内部に収容される回路基板２３と連係接続されて各種の指令入力や、各種状況の表示が行われるようになっている。この本体ケース２１の下端部の左右両側位置には、それぞれ後述の連結片９を用いて、裏蓋２２のみならず取付金具５をも併せて連結するためのスリット状開口部により構成された下部連結部２１３（図１又図３参照）がそれぞれ設けられている。
【００２３】
裏蓋２２は本体ケース２１に対し後面側から内嵌することにより一体組み付けされるようになっている。この裏蓋２２には、取付金具５の後述のリモコン取付部５３との結合のための上部係止部２２１，２２１と、下部連結部２２２，２２２とが一体に形成されている。上部係止部２２１は、上部の左右両側位置にそれぞれ配設され、後面に開口して後述の係止爪５３１を受け入れる受入開口部２２１ａ（図１又は図３参照）と、その上側位置で係止爪５３１と係合する係止壁部２２１ｂ（図１又図３参照）とを備えたものである。又、下部連結部２２２は、下端部の左右両側位置においてそれぞれスリット状に開口する開口部により構成されたものであり、後述の連結片９を用いて、取付金具５の後述の連結部５３２を本体ケース２１の下部連結部２１３と共に連結するものである。
【００２４】
取付金具５は、矩形板状の本体部５１と、この本体部５１の中央位置から後面側に突出する筒状のステーパイプ取付部５２と、前面側においてリモコン２を連結させて支持するリモコン取付部５３とを備えたものである。本体部５１はリモコン２の浴室面４１に対する投影形状に対応する金属板材により構成され、ステーパイプ取付部５２の周囲を含む所定の矩形範囲にパッキン７が入り込むための扁平凹部５１１が例えばプレス加工により形成されている。この扁平凹部５１１は後面側に凹むように周囲に段差を付けて形成され、その中央位置からステーパイプ取付部５２が後面側に向けて突出するように配置されている。上記扁平凹部５１１の前面側にはシール用のパッキン７が裏蓋２２との間に挟まれた状態で介装される一方、扁平凹部５１１の後面側には他のシール用のパッキン８が浴室面４１との間に挟まれた状態で介装されるようになっている。上記の各パッキン７，８は設置工事の際に挟み込んでもよいが、上記扁平凹部５１１の前後面それぞれに予め貼り付けしておくようにしてもよい。
【００２５】
ステーパイプ取付部５２は金属パイプ片により構成され、上記の扁平凹部５１１の位置で本体部５１を貫通する内孔５２１には螺ネジ５２２が形成されている。この螺ネジ５２２に対し、ステーパイプ６の他端部に該当する基端部６１の外周面に形成された螺ネジ６１１を螺合させることにより、ステーパイプ取付部５２に対するステーパイプ６の取付が行われるようになっている。リモコン取付部５３は、本体部５１の上端縁の左右両側位置から前面側に僅かに突出された係止爪５３１，５３１と、本体部５１の下端縁の左右両側位置から前面側に屈曲された連結部５３２，５３２とから構成されている。
【００２６】
上記各係止爪５３１は前面側に僅かに突出した後に上向きに突出するように略Ｌの字状のものに形成されている。そして、この係止爪５３１に対し係止爪５３１が裏蓋２２の受入開口部２２１ａ内に入り込むように裏蓋２２を被せた後（図１参照）、裏蓋２２を下方にずらすことで、係止爪５３１の上向き突出部分が係止壁部２２１ｂに接合して係止される結果、裏蓋２２の前面側への位置ずれが阻止されるようになっている。又、各連結部５３２はスリット状の開口部により構成され、この連結部５３２，５３２に対し、裏蓋２２の下部連結部２２２，２２２及び本体ケース２１の下部連結部２１３が連結片９，９を用いて連結されることにより、リモコン２が取付金具５に支持されるようになっている。すなわち、裏蓋２２を本体ケース２１に対し内嵌させることで、両者の下部連結部２２２，２１３のスリット状開口部が上下方向に合致すると共に、両者の下部連結部２２２，２１３間に隙間が形成されることになる。そして、上記の如く両係止爪５３１，５３１に対し裏蓋２２の上部係止部２２１によりリモコン２の上側部位を係止した後に、上記の裏蓋２２及び本体ケース２１の下部連結部２２２，２１３間の隙間に対し、取付金具５の連結部５３２を差し込むと、下から上に下部連結部２１３、連結部５３２及び下部連結部２２２の各スリット状開口部が上下方向に合致することになる。これら下部連結部２１３、連結部５３２及び下部連結部２２２の各スリット状開口部に対し、下から連結片９を圧入気味に挿入して係合させることで、取付金具５の連結部５３２に対しリモコン２が前後方向及び上下方向の位置ずれが阻止された状態に連結されて支持されることになる。以上の如く、裏蓋２２及び本体ケース２１により筐体が構成されるリモコン２は、その上下各部位において取付金具５により支持されるようになっている。
【００２７】
以上の実施形態によりリモコン２を設置する手順について説明すると、リモコン２自体は内部に回路基板２３を収容させた状態で本体ケース２１に対し裏蓋２２を内嵌させて予め一体に組み付けた状態にしておく。要するにリモコンとして完成品の状態にしておく。この状態では回路基板２３に接続された電源線や信号線からなるコード２４が裏蓋２２から後面側に出されているため、このコード２４をパッキン７、ステーパイプ取付部５２の内孔５２１、パッキン８及びステーパイプ６内に挿通させた状態にする。取付金具５を浴室壁４の浴室面４１に固定設置するには次の手順で行う。コード２４が挿通された状態で、ステーパイプ６の基端部６１をステーパイプ取付部５２の内孔５２１にねじ込んで両者の螺ネジ６１１，５２２により締結させ、このステーパイプ６の一端部を構成する先端部６２を浴室壁４（図１参照）に開けられた貫通孔４２に浴室３の側から差し込んで、浴室壁４を貫通させて先端部６２を浴室外に飛び出させる。そして、このステーパイプ６の先端部６２の螺ネジ６２１に対し図外のナット（例えば図６に例示するナット１０１参照）をねじ込んで浴室壁４の外面に対し締結することで、取付金具５を浴室面４１に密着させた状態に固定する。
【００２８】
次に、この取付金具５に対しリモコン２を次の手順により支持させる。まず、リモコン２の裏蓋２２の後面側に開口する受入開口部２２１ａ，２２１ａに取付金具５の係止爪５３１，５３１が入り込むように、リモコン２を若干斜めに傾けて上部を取付金具５に押し当てて、次に、僅かに下方にずらすことで各係止爪５３１を係止壁部２２１ｂに係止させる。続いて、リモコン２の下部連結部２１３，２２２間の隙間に取付金具５の連結部５３２が入り込むように、リモコン２の下部を取付金具５側に押し込む。これにより、下部連結部２１３、連結部５３２及び下部連結部２２２を上下方向に揃えた状態にし、この状態で連結片９，９を下から上に押し込んでリモコン２を取付金具５に対し位置ずれしない状態に連結・固定することで、支持させる。なお、浴室外では、上記のコード２４の先端に対し図外のコントローラからの電源線や信号線を接続させることになる。
【００２９】
以上の説明では、リモコン２と取付金具５とを別々にしておき、まず取付金具５を浴室壁４に固定設置し、次に固定設置された取付金具５に対しリモコン２を連結させて支持させるようにする例を説明したが、これに限らず、リモコン２を取付金具５に対し予め連結して支持させた状態で浴室壁４に対する設置作業を行うようにしてもよい。この場合には、リモコン２が予め支持された状態の取付金具５に対しステーパイプ６を締結し、締結したステーパイプ６の先端部６２を貫通孔４２に貫通させた後、この先端部６２を浴室外でナットにより締結するようにすればよい。
【００３０】
本実施形態の場合、ステーパイプ６を介して浴室壁４を挟み付けることで固定設置するという設置構造を採用したとしても、その浴室壁４への固定設置に伴いステーパイプ６を介して作用する外力は取付金具５に対してのみ作用し、その外力がリモコン２に対し作用することはないため、リモコン２を構成する筐体として特に裏蓋２２を従来のものよりも薄肉厚化することができる。つまり、リモコン２は、上記の固定設置のナット締め付けに伴い作用する引張外力Ｆ（図１の点線の矢印参照）と縁切りされているため、引張外力Ｆに対抗し得るだけの剛性を確保し得る肉厚設定がなされていた従来の場合と比べ、その薄型化を阻害する要因を除去して、上記裏蓋２２等の肉厚設定を薄肉化することができるようになる。しかも、上記の固定設置時の引張外力Ｆのみならず、設置後も継続的に作用する残留応力や、季節変化や浴室乾燥機の作動等に伴う高温・低温環境又は多湿・乾燥環境の繰り返しを受けることによる経時的なゆがみ変形等の発生のおそれを考慮して分厚いものにする必要もないため、特に浴室３内に設置するためのリモコン２を対象にした場合には大幅な薄型化を実現させることができるようになる。
【００３１】
しかも、上記の設置固定に伴う引張外力Ｆや残留応力等からリモコン２が縁切りされてそれら引張外力Ｆや残留応力等の影響を受けることがないため、特にリモコン２に対するシール性を当初組み付け時のまま高度に維持することができ、内部の回路基板２３の保護機能を増大させることができる。このようにステーパイプ６へのナット締め付けによる変形やゆがみを引き起こす外力作用が回路基板２３の密着性やシール性に対し直接に影響しないようにしているため、リモコン２自体の耐久性をも大幅に増大させることができる。
【００３２】
又、リモコン２のメンテナンス時、あるいは、リモコン２の交換時においても、取付金具５からリモコン２のみを独立して外すことができ、取付金具５は固定設置状態のままにしておくことができるため、リモコン２のメンテナンスを容易に行うことができる一方、交換時にもリモコン２のみを交換し取付金具５はそのまま共用することができ、省力化や省部品化を図ることができる。さらに、リモコン２以外の電気機器においても、取付金具５を基本として支持させ得るように構成することで、リモコン２以外の電気機器を対象にして取付金具５を共用の部品として用いることができるようになる。
【００３３】
＜第２実施形態＞
図４は第２実施形態に係る電気機器設置構造について第１実施形態の図３に対応した分解斜視図により示したものである。この第２実施形態は、第１実施形態と同様に電気機器として浴室３用のリモコン２ａを対象にしたものであるが、第１実施形態とはサイズ・形状等の相違の他に、特に取付部材５ａの材質が合成樹脂である点で大きく異なるものである。設置構造の原理そのものは第１実施形態と同じであり、特に説明するものを除き、第１実施形態と同じ構成のものは第１実施形態と同じ符号を付して重複説明を省略する。
【００３４】
取付部材５ａは、第１実施形態のものよりも横長のリモコン２ａ（例えば浴室テレビを組み込んだリモコン）を対象にしたものであり、このリモコン２ａに対応して本体部５１ａも第１実施形態のそれよりも横長に形状設定されている。又、扁平凹部５１１ａが後面側から前面側に凹むように形成されてパッキン８を配設し得るになっている点で、第１実施形態の扁平凹部５１１（図３参照）とは逆になっている。そして、合成樹脂成形により取付部材５が一体形成されているため、ステーパイプ取付部５２の構成自体は第１実施形態のそれと同じであるものの、設置固定時の引張外力Ｆ（図１参照）に対抗し得るように本体部５１ａが比較的厚肉に設定されている点で第１実施形態の金属製の本体部５１と大きく異なる。
【００３５】
この第２実施形態の設置手順も第１実施形態のそれと基本的に同じである。すなわち、リモコン２ａの裏蓋２２ａから後面側に出されているコード２４をパッキン７、ステーパイプ取付部５２の内孔５２１、パッキン８及びステーパイプ６内に挿通させた状態にする。そして、ステーパイプ６の基端部６１をステーパイプ取付部５２の内孔５２１にねじ込んで両者の螺ネジ６１１，５２２により締結させ、このステーパイプ６の先端部６２を浴室壁４（図１参照）に開けられた貫通孔４２に浴室３の側から差し込んで、浴室壁４を貫通させて先端部６２を浴室外に飛び出させる。そして、このステーパイプ６の先端部６２の螺ネジ６２１に対し図外のナット（例えば図６に例示するナット参照）をねじ込んで浴室壁４の外面に対し締結することで、取付部材５ａを浴室面４１に密着させた状態に固定する。次に、この取付部材５ａに対し例えばビス孔２２３，２２３，…を利用してビス止めすることによりリモコン２ａを連結・固定して支持させる。浴室外では、第１実施形態と同様に、上記のコード２４の先端に対し図外のコントローラからの電源線や信号線を接続させる。
【００３６】
この第２実施形態の場合、取付部材５ａは第１実施形態よりも肉厚にはなるものの、リモコン２ａに対すると同様に、設置固定に伴う引張外力Ｆや残留応力等からリモコン２ａが縁切りされてそれら引張外力Ｆや残留応力等の影響を受けることがないため、リモコン２ａ自体の大幅な薄型化を実現させることができ、又、特にリモコン２ａに対するシール性を当初組み付け時のまま高度に維持することができ、内部の回路基板の保護機能を増大させてリモコン２ａ自体の耐久性をも大幅に増大させることができる。又、リモコン２ａのメンテナンス時、あるいは、リモコン２ａの交換時においても、取付部材５ａからリモコン２ａのみを独立して外すことができ、取付部材５ａは固定設置状態のままにしておくことができるため、リモコン２ａのメンテナンスの容易化や、取付部材５ａの共用化による省力化や省部品化を図ることができる。
【００３７】
＜他の実施形態＞
なお、本発明は上記第１及び第２実施形態に限定されるものではなく、その他種々の実施形態を包含するものである。すなわち、上記第１実施形態では、取付部材としての取付金具５を金属製としたが、これに限らず、金属製と同等肉厚で同等以上の強度・剛性を備える材質（例えばエンジニアリングプラスティックス等）であれば、金属以外の他の材質のもので構成するようにしてもよい。
【００３８】
上記第１及び第２実施形態では、取付部材５，５ａと、ステーパイプ６とを別体にして、ステーパイプ６をステーパイプ取付部５２，５２ａに対し螺合させて一体に組み付けるようにした例を示したが、これに限らず、取付部材に対しステーパイプが一体に形成されている、又は、予め一体に固定されているように、取付部材を構成するようにしてもよい。例えば図５に第１実施形態の他の形態として例示するように取付金具５ｂの本体部５１の扁平凹部５１１の位置にステーパイプ６ａの基端部６１を例えば溶接手段により固定し、ステーパイプ６ａの基端部６１の開口が本体部５１の前面側に臨んで開口するようにすればよい。つまり、ステーパイプ取付部５２とステーパイプ６とを合体させて取付金具５ｂを構成するのである。
【符号の説明】
【００３９】
２，２ａ      浴室用リモコン（電気機器）
３            浴室
４            浴室壁（壁）
４１          浴室面（他側面）
４２          貫通孔
５，５ｂ      取付金具（取付部材）
５ａ          取付部材
６，６ａ      ステーパイプ
７，８        パッキン
５１，５１ａ  本体部
５２          ステーパイプ取付部
５３          リモコン取付部（電気機器取付部）
６１          基端部（他端部）
６２          先端部（一端部）
５１１，５１１ａ  扁平凹部
５２１        内孔
【図１】
0005521785.tif 000002
【図２】
0005521785.tif 000003
【図３】
0005521785.tif 000004
【図４】
0005521785.tif 000005
【図５】
0005521785.tif 000006
【図６】
0005521785.tif 000007